(57)【要約】【課題】本発明では、情報表示機能及びシャウカステンの機能を有する医療用収納ケースを提供する。【解決手段】医療に関する対象物を収納する医療用収納ケースにおいて、前記収納ケースのいずれかの側面に設けられた開閉可能な扉と、前記収納ケースのいずれかの側面に設けられ、透過度が変化可能な表示部と、前記透過度を切り替える切替部と、を備えることにより、上記課題の解決を図る。【選択図】      図１
2010029542.tif 000002
【特許請求の範囲】
【請求項１】
医療に関する対象物を収納する医療用収納ケースにおいて、
前記収納ケースのいずれかの側面に設けられた開閉可能な扉と、
前記収納ケースのいずれかの側面に設けられ、透過度が変化可能な表示部と、
前記透過度を設定する透過度設定部と、
を備えることを特徴とする医療用収納ケース。
【請求項２】
前記表示部は、前記扉に設けられている
ことを特徴とする請求項１に記載の医療用収納ケース。
【請求項３】
前記表示部は、フレキシブルな透明の面発光体である
ことを特徴とする請求項１または２に記載の医療用収納ケース。
【請求項４】
前記医療用収納ケースは、さらに、
前記透過度設定部の設定内容に基づいて、前記表示部の透過度を調整する表示制御部と、
外部の画像生成装置から画像信号を取得する画像信号取得部と、
を備え、
前記表示制御部は、前記透過度設定部により第1の設定がなされている場合、前記表示部を照明光として発光させ、前記透過度設定部により第２の設定がなされている場合、前記取得した画像信号に基づく画像を前記表示部に表示させる
ことを特徴とする請求項１〜３のうちいずれか１項に記載の医療用収納ケース。
【発明の詳細な説明】
【技術分野】
【０００１】
本発明は、医療用収納ケースに関する。
【背景技術】
【０００２】
内視鏡検査室や手術室内には、Ｘ線，ＣＴ，ＭＲＩ等の撮影フィルムを透過光で観察するシャウカステンが設置されたり、内視鏡画像を観察するモニタが設置されている。このようなシャウカステンやモニタは、診断、検査、治療に不可欠なものである。
【０００３】
ところで、医療機関には、治療や検査等のために用いる薬品を薬品棚に収納していることが多い。これらの薬品庫などのガラス扉は、例えば外部から衝撃を受けた場合等に収納物が外に飛び出してしまうのを防止したり、収納物を外部から目視で確認したりするために取り付けられている。
【０００４】
なお、本願で開示する技術に関係するものとして、特許文献１〜特許文献６がある。
【特許文献１】特表２００７−５３６５８４号公報
【特許文献２】特開２００５−０１０２２６号公報
【特許文献３】特開２００７−０１４３８８号公報
【特許文献４】特開２００５−２２７２０８号公報
【特許文献５】特開平０８−０６２７２１号公報
【特許文献６】特表２００７−５１９９５７号公報
【発明の開示】
【発明が解決しようとする課題】
【０００５】
上述の通り、シャウカステンと、モニタの２つが別々に設置されている。撮影フィルムや内視鏡画像は、肉眼で確認する必要があるため、シャウカステンやモニタはある程度の大きさを要する。そのため、内視鏡検査室や手術室内の一定スペースがシャウカステンやモニタで占有されてしまう。
【０００６】
しかしながら、内視鏡検査室や手術室内のスペースは有限であるため、一定の大きさを有するシャウカステンやモニタを配置すると、内視鏡検査室や手術室によっては空きスペースが限られ、非常に窮屈になってしまう場合もある。このように、シャウカステンやモニタを別々に設置すると、室内のスペースが制限されてしまうので、限られたスペースを有効活用することが要求される。
【０００７】
そこで、本発明では、情報表示機能及びシャウカステンの機能を有する医療用収納ケースを提供する。
【課題を解決するための手段】
【０００８】
本発明に係る、医療に関する対象物を収納する医療用収納ケースは、前記収納ケースのいずれかの側面に設けられた開閉可能な扉と、前記収納ケースのいずれかの側面に設けられ、透過度が変化可能な表示部と、前記透過度を設定する透過度設定部と、を備えることを特徴とする。
【０００９】
前記表示部は、前記扉に設けられていることを特徴とする。また、前記表示部は、フレキシブルな透明の面発光体であることを特徴とする。
前記医療用収納ケースは、さらに、前記透過度設定部の設定内容に基づいて、前記表示部の透過度を調整する表示制御部と、外部の画像生成装置から画像信号を取得する画像信号取得部と、を備えている。このとき、前記表示制御部は、前記透過度設定部により第1の設定がなされている場合、前記表示部を照明光として発光させ、前記透過度設定部により第２の設定がなされている場合、前記取得した画像信号に基づく画像を前記表示部に表示させることを特徴とする。
【発明の効果】
【００１０】
本発明に係る医療用収納ケースは、情報表示機能及びシャウカステンの機能を有するので、モニタやシャウカステンを別に設置する必要がなくなる。したがって、内視鏡検査室や手術室内等の省スペース化を図ることができる。
【発明を実施するための最良の形態】
【００１１】
＜第１の実施形態＞
本実施形態では、情報表示機能及びシャウカステン機能を有する医療用収納ケースについて説明する。
【００１２】
図１は、本実施形態における医療用収納戸棚を示す。医療用収納戸棚１は、例えば、薬品等を収納することができる。医療用収納戸棚１には、観音開きで開閉する扉２が設けられている。扉２の全面には、透明ガラスの代わりに、有機エレクトロルミネッセンス（以下、有機ＥＬという）パネル３が備え付けられている。
【００１３】
画像生成装置１０は、内視鏡から出力された信号を画像信号に変換し、所定の画像処理を施して、モニタに出力する装置である。画像生成装置１０は、医療用収納戸棚１と接続することができる。画像生成装置１０は、映像信号を医療用収納戸棚１に出力することができる。
【００１４】
有機ＥＬパネル３の電源ＯＦＦ時、有機ＥＬパネル３は透明状態である。この場合、医療用収納戸棚１の外部から、医療用収納戸棚１の内部を目視することができる。
有機ＥＬパネルの電源ＯＮ時、透過度を調整することができる。このとき、画像生成装置１０からの映像信号に基づく画像を有機ＥＬパネルに表示させることができる。また、有機ＥＬパネルをフル発光状態にすることにより、シャウカステンとしても使用することができる。
【００１５】
図２は、本実施形態における医療用収納戸棚のハードウェア構成を示す。医療用収納戸棚１は、透明度調整入力部２１、画像入力部２２、表示部２３、透明度制御部２４、画像処理部２５、電源部２６を有する。
【００１６】
表示部２３は、有機ＥＬパネル３を示す。画像入力部２２は、画像生成装置１０−１，１０−２，・・・，１０−ｎから出力された画像信号が入力されるインターフェースである。画像処理部２５は、有機ＥＬパネル３に表示させるために、画像入力部２２から入力された画像信号に対して所定の画像処理を行う。
【００１７】
透明度調整入力部２１は、有機ＥＬパネル３の透明度を調整するための入力部である。例えば、有機ＥＬパネル３をシャウカステンとして利用する場合には、透明度調整入力部２１によって「Ｆｕｌｌ発光」を選択することができる。なお、有機ＥＬパネル３をモニタとして利用する場合には、特に設定の必要はない。
【００１８】
透明度制御部２４は、透明度調整入力部２１による設定情報または画像処理部２５から出力される信号に基づいて、有機ＥＬパネル３の透明度を制御する。電源部２６は、表示部２３、透明度制御部２４、画像処理部２５に電力を供給するための電源回路である。
【００１９】
図３は、本実施形態における透明度制御部２４による有機ＥＬパネルの表示切替制御フローである。表示部２３へ電力が供給されていない場合（Ｓ１で「Ｙｅｓ」）、有機ＥＬパネル３は透過状態である（Ｓ２）。
【００２０】
表示部２３へ電力が供給されると（Ｓ１で「Ｎｏ」）、透明度調整入力部２１による設定情報または画像処理部２５から出力される信号に基づいて、有機ＥＬパネル３の透過度を調整する（Ｓ３）。
【００２１】
具体的には、透明度調整入力部２１で「Ｆｕｌｌ発光」が設定されていた場合、透明度制御部２４は、有機ＥＬパネル３をＦｕｌｌ発光させる（Ｓ４で「Ｙｅｓ」）。この場合、有機ＥＬパネル３は、白色照明となる（Ｓ６）ので、シャウカステンとして利用することができる。
【００２２】
一方、透明度調整入力部２１で「Ｆｕｌｌ発光」が設定されていない場合（Ｓ４で「Ｎｏ」）、透明度制御部２４は、有機ＥＬパネル３をモニタとして機能させる（Ｓ５）。すなわち、透明度制御部２４は、画像処理部２５から出力される画像信号があれば、その画像信号を有機ＥＬパネル３に表示させる。
【００２３】
なお、本実施形態では、戸棚の戸部分に有機ＥＬパネル３を設けたが、これに限定されず、開閉しない側面部分に有機ＥＬパネル３を設けてもよい。また、医療に関係する物品を収納することができれば、戸棚以外の収納ケースであってもよい。また、本実施形態における収納ケースは、室内の壁面にビルトイン（ｂｕｉｌｔ‐ｉｎ）されていてもよい。
【００２４】
本実施形態によれば、モニタやシャウカステンを改めて設置するスペースがないときにでも、医療用収納ケースを表示装置及びシャウカステンとして利用することができる。よって、従来、表示装置及びシャウカステンを設置していたスペースが不要となる。
【００２５】
＜第２の実施形態＞
本実施形態では、透過度を透過／不透過に切り替え可能であり、透過時には撮影フィルムを透過光で観察するシャウカステンとして使用でき、不透過時にはモニタとして使用可能な表示装置について説明する。
【００２６】
図４は、本実施形態におけるシャウカステンとモニタの両方に使用可能な表示パネルを示す。表示装置４１は、概して、フィルム保持部４２、表示部４３、切替スイッチ４４からなる。表示部４３は、有機ＥＬパネルである。フィルム保持部４２は、Ｘ線、ＣＴ，ＭＲＩ等の撮影フィルム４５を保持するものである。切替スイッチ４４は、有機ＥＬパネルの透過状態を切り替えるためのものである。
【００２７】
図５は、本実施形態における表示装置４１のハードウェア構成を示す。表示装置４１は、切替スイッチ４４、画像入力部５２、表示部４３、透明度制御部５４、画像処理部５５、電源部５６、バックライト５７を有する。
【００２８】
表示部４３の電源ＯＦＦ時、有機ＥＬパネルは透明状態である。表示部４３の電源ＯＮ時、有機ＥＬパネルの透過度を調整することができる。このとき、画像生成装置１０からの映像信号に基づく画像を有機ＥＬパネルに表示させることができる。
【００２９】
画像入力部５２は、画像生成装置１０−１，１０−２，・・・，１０−ｎから出力された画像信号が入力されるインターフェースである。画像処理部５５は、表示部４３に表示させるために、画像入力部５２から入力された画像信号に対して所定の画像処理を行う。切替スイッチ４４は、表示部４３の透明度の設定を「透過」か「不透過」に切り替えるためのスイッチである。透明度制御部５４は、切替スイッチ４４の切替状態に基づいて、表示部４３の透明度を制御する。バックライト５７は、切替スイッチ４４の切替状態に基づいて、点灯／消灯する。電源部５６は、表示部４３、透明度制御部５４、画像処理部５５、及びバックライト５７に電力を供給するための電源回路である。
【００３０】
表示装置４１の動作について説明する。切替スイッチ４４を「透過」に切り替えると、表示部４３への電力の供給が停止し、表示部４３が透過状態になる。さらに、バックライト５７が点灯する。すると、バックライト５７からの光は表示部４３を透過して照明する。この場合、フィルム保持部４２に撮影フィルム４２を保持させることにより、表示装置４１を、シャウカステンとして利用することができる。
【００３１】
一方、切替スイッチ４４を「不透過」に切り替えると、表示部４３へ電力が供給されて、透明度制御部５４は、画像処理部５５から出力される信号に基づいて、有機ＥＬパネルの透過度を調整する。この場合、表示装置４１にあるバックライト５７は消灯状態になっている。
【００３２】
本実施形態によれば、シャウカステンをモニタとしても利用することができるので、検査室または手術室内の省スペース化を図ることができる。
なお、本発明は、以上に述べた実施の形態に限定されるものではなく、本発明の要旨を逸脱しない範囲内で種々の構成または実施形態を取ることができる。
【図面の簡単な説明】
【００３３】
【図１】第１の実施形態における医療用収納戸棚を示す。
【図２】第１の実施形態における医療用収納戸棚のハードウェア構成を示す。
【図３】第１の実施形態における透明度制御部２４による有機ＥＬパネルの表示切替制御フローである。
【図４】第２の実施形態におけるシャウカステンとモニタの両方に使用可能な表示パネルを示す。
【図５】第２の実施形態における表示装置のハードウェア構成を示す。
【符号の説明】
【００３４】
１      医療用収納戸棚
２      扉
３      有機ＥＬパネル
１０（１０−１，１０−２，１０−ｎ）  画像生成装置
２１    透明度調整入力部
２２    画像入力部
２３    表示部
２４    透明度制御部
２５    画像処理部
２６    電源部
４１    表示装置
４２    フィルム保持部
４３    表示部
４４    切替スイッチ
５２    画像入力部
５４    透明度制御部
５５    画像処理部
５６    電源部
５７    バックライト
【図１】
2010029542.tif 000003
【図２】
2010029542.tif 000004
【図３】
2010029542.tif 000005
【図４】
2010029542.tif 000006
【図５】
2010029542.tif 000007